(57)【特許請求の範囲】
【請求項１】
送信ダイバーシティ方式を用いる通信を受信するための方法であって、
無線通信デバイス（ＷＣＤ）が送信ダイバーシティ方式を用いて送信することが可能であるかどうかを決定することと、
前記ＷＣＤが送信ダイバーシティ方式を用いて送信可能であることの決定に基づき、予め決められた巡回シフトデルタパラメータを適用することによって決定された巡回シフトに割り当てられた２つの又はそれより多いリソースを用いる前記送信ダイバーシティ方式を用いて送信された制御情報を処理することと、を備え、
前記巡回シフトデルタパラメータは、前記巡回シフトの数を決定するために、少なくともサービスが提供されるＷＣＤの数に基づき決定され、前記巡回シフトデルタパラメータのために用いられる値が小さくなるのに従い、利用可能なリソースの数が増加する、方法。
【請求項２】
前記ＷＣＤにコンテンツを送信することをさらに備える請求項１に記載の方法。
【請求項３】
前記処理することは、前記制御情報のために少なくとも１つの直交カバー（ＯＣ）割り当てを用いることをさらに備え、前記少なくとも１つのＯＣは、前記２つの又はそれより多いリソースのうちの１つのために割り当てられた第１のＯＣと、少なくとも１つの割り当てられていないＯＣが利用可能な場合、前記利用可能な少なくとも１つの割り当てられていないＯＣの中から他のリソースのために割り当てられた第２のＯＣとを含む請求項１に記載の方法。
【請求項４】
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含む請求項１に記載の方法。
【請求項５】
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当てる、
前記１つ又は複数のＡＣＫ又はＮＡＣＫを通信するために２超のビットを用いるＬＴＥ  ＰＵＣＣＨ割り当て、又は
ＬＴＥ  ＰＵＣＣＨフォーマット２のうちの少なくとも１つを用いてフォーマット化され、前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる請求項１に記載の方法。
【請求項６】
前記受信された制御情報は、物理アップリンク制御チャネル（ＰＵＣＣＨ）、又は物理アップリンク共有チャネル（ＰＵＳＣＨ）のうちの少なくとも１つを用いて受信される請求項１に記載の方法。
【請求項７】
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含む請求項１に記載の方法。
【請求項８】
無線通信デバイス（ＷＣＤ）が送信ダイバーシティ方式を用いて送信することが可能であるかどうかを決定することをコンピュータに行わせるための符号と、
予め決められた巡回シフトデルタパラメータを適用することによって決定された巡回シフトに割り当てられた２つの又はそれより多いリソースを用いる前記送信ダイバーシティ方式を用いて送信された制御情報を処理することを前記コンピュータに行わせるための符号と、
を備え、
前記巡回シフトデルタパラメータは、前記巡回シフトの数を決定するために、少なくともサービスが提供されるＷＣＤの数に基づき決定され、前記巡回シフトデルタパラメータのために用いられる値が小さくなるのに従い、利用可能なリソースの数が増加する、コンピュータによって読み取り可能な記録媒体。
【請求項９】
処理することを前記コンピュータに行わせるための前記符号は、前記制御情報のために少なくとも１つの直交カバー（ＯＣ）割り当てを用いて処理することを前記コンピュータに行わせるための符号をさらに備え、前記少なくとも１つのＯＣは、前記２つの又はそれより多いリソースのうちの１つのために割り当てられた第１のＯＣと、少なくとも１つの割り当てられていないＯＣが利用可能な場合、前記利用可能な少なくとも１つの割り当てられていないＯＣの中から他のリソースのために割り当てられた第２のＯＣとを含む請求項８に記載のコンピュータによって読み取り可能な記録媒体。
【請求項１０】
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含む請求項８に記載のコンピュータによって読み取り可能な記録媒体。
【請求項１１】
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ  ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含みかつ前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、請求項８に記載のコンピュータによって読み取り可能な記録媒体。
【請求項１２】
前記受信された制御情報は、物理アップリンク制御チャネル（ＰＵＣＣＨ）、又は物理アップリンク共有チャネル（ＰＵＳＣＨ）のうちの少なくとも１つを用いて受信される請求項８に記載のコンピュータによって読み取り可能な記録媒体。
【請求項１３】
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含む請求項８に記載のコンピュータによって読み取り可能な記録媒体。
【請求項１４】
無線通信デバイス（ＷＣＤ）が送信ダイバーシティ方式を用いて送信することが可能であるかどうかを決定するための手段と、
予め決められた巡回シフトデルタパラメータを適用することによって決定された巡回シフトに割り当てられた２つの又はそれより多いリソースを用いる前記送信ダイバーシティ方式を用いて送信された制御情報を処理するための手段と、を備え、
前記巡回シフトデルタパラメータは、前記巡回シフトの数を決定するために、少なくともサービスが提供されるＷＣＤの数に基づき決定され、前記巡回シフトデルタパラメータのために用いられる値が小さくなるのに従い、利用可能なリソースの数が増加する、装置。
【請求項１５】
前記ＷＣＤにコンテンツを送信するための手段をさらに備える請求項１４に記載の装置。
【請求項１６】
処理するための前記手段は、前記制御情報のために少なくとも１つの直交カバー（ＯＣ）割り当てを用いるための手段をさらに備え、前記少なくとも１つのＯＣは、前記２つの又はそれより多いリソースのうちの１つのために割り当てられた第１のＯＣと、少なくとも１つの割り当てられていないＯＣが利用可能な場合、前記利用可能な少なくとも１つの割り当てられていないＯＣの中から他のリソースのために割り当てられた第２のＯＣとを含む請求項１４に記載の装置。
【請求項１７】
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）
のうちの少なくとも１つを含む請求項１４に記載の装置。
【請求項１８】
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ  ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、請求項１４に記載の装置。
【請求項１９】
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式
のうちの少なくとも１つを含む、請求項１４に記載の装置。
【請求項２０】
無線通信デバイス（ＷＣＤ）が送信ダイバーシティ方式を用いて送信することが可能であるかどうかを決定する、及び
前記ＷＣＤが送信ダイバーシティ方式を用いて送信することが可能であることの決定に基づき、予め決められた巡回シフトデルタパラメータを適用することによって決定された巡回シフトに割り当てられた２つの又はそれより多いリソースを用いる前記送信ダイバーシティ方式を用いて送信された制御情報を処理する
ために動作可能な送信ダイバーシティモジュールを備え、
前記巡回シフトデルタパラメータは、前記巡回シフトの数を決定するために、少なくともサービスが提供されるＷＣＤの数に基づき決定され、前記巡回シフトデルタパラメータのために用いられる値が小さくなるのに従い、利用可能なリソースの数が増加する、基地局。
【請求項２１】
前記ＷＣＤに前記コンテンツを送信するために動作可能な送信機をさらに備える請求項２０に記載の基地局。
【請求項２２】
前記送信ダイバーシティモジュールは、
前記制御情報のために少なくとも１つの直交カバー（ＯＣ）割り当てを用いて処理するためにさらに動作可能であり、前記少なくとも１つのＯＣは、前記２つの又はそれより多いリソースのうちの１つのために割り当てられた第１のＯＣと、少なくとも１つの割り当てられていないＯＣが利用可能な場合、前記利用可能な少なくとも１つの割り当てられていないＯＣの中から他のリソースのために割り当てられた第２のＯＣとを含む請求項２０に記載の基地局。
【請求項２３】
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）
のうちの少なくとも１つを含む請求項２０に記載の基地局。
【請求項２４】
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ  ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、請求項２０に記載の基地局。
【請求項２５】
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式
のうちの少なくとも１つを含む、請求項２０に記載の基地局。
【発明の詳細な説明】
【技術分野】
【０００１】
３５Ｕ．Ｓ．Ｃ．§１１９に基づく優先権の主張
本特許出願は、“TRANSMIT DIVERSITY FOR UPLINK WIRELESS CHANNELS”（アップリンク無線チャネルのための送信ダイバーシティ）という題名を有し、これの譲受人に対して譲渡され、ここにおける引用によって明示でここに組み入れられている仮特許出願第６１／０９９，３６８号（出願日：２００８年９月２３日）に対する優先権を主張するものである。
【０００２】
本出願は、一般的には、無線通信に関するものである。本出願は、より具体的には、通信のための送信ダイバーシティを容易にするための方法及びシステムに関するものである。
【背景技術】
【０００３】
様々なタイプの通信コンテンツ、例えば音声、データ、等、を提供することを目的として無線通信システムが広範囲にわたって配備されている。これらのシステムは、利用可能なシステムリソース（例えば、帯域幅及び送信電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、３ＧＰＰロングタームエボリューション（Ｌｏｎｇ  Ｔｅｒｍ  Ｅｖｏｌｕｔｉｏｎ）（ＬＴＥ）システムと、直交周波数分割多元接続（ＯＦＤＭＡ）システムと、を含む。
【０００４】
一般に、無線多元接続通信システムは、複数の無線端末のための通信を同時にサポートすることができる。各端末は、順方向リンク及び逆方向リンクにおける送信を介して１つ又は複数の基地局と通信する。順方向リンク（又はダウンリンク）は、基地局から端末への通信リンクを意味し、逆方向リンク（又はアップリンク）は、端末から基地局への通信リンクを意味する。この通信リンクは、単入力単出力、多入力信号出力又は多入力多出力（ＭＩＭＯ）システムを介して確立することができる。
【０００５】
送信ダイバーシティ方式は、無線多元接続通信システムにおける通信の信頼性を向上させるために用いることができる。送信ダイバーシティの１つの問題は、共通のリソースにおいて送信する送信機間の干渉である。例えば、第３世代パートナーシッププロジェクト（３ＧＰＰ）ロングタームエボリューション（ＬＴＥ）ネットワークにおいては、物理アップリンク制御チャネル（ＰＵＣＣＨ）で送信されるデータに対しては単一のリソースのみが割り当てられる。従って、異なる時間又は周波数リソースを使用することは、ＬＴＥ
ＰＵＣＣＨデータに関しては利用できない。同様に、その他のシステムは、単一のリソースを用いる制御、トラフィック、パイロット、等、データを規定し、直交リソース送信をネゲート（ｎｅｇａｔｅ）する。このため、送信ダイバーシティ方式を容易にするための改良された装置及び方法が望まれる。
【発明の概要】
【０００６】
下記は、１つ又は複数の態様について基本的に理解できるようにすることを目的として該態様の単純化された概要を示すものである。この概要は、すべての企図される態様の広範な概要ではなく、また全態様の主要な又は非常に重要な要素を特定するものではなく、さらにいずれかの態様又は全態様の適用範囲を詳述するものでもない。それの唯一の目的は、後述されるより詳細な発明を実施するための形態の準備段階として、１つ又は複数の態様の幾つかの概念を単純化された形で提示することである。
【０００７】
１つ又は複数の態様及びそれらの対応する開示により、通信のための送信ダイバーシティを容易にすることと関係させて様々な態様が説明される。一態様により、通信のための送信ダイバーシティを容易にするための方法が提供される。方法は、受信されたコンテンツを処理することを備えることができる。さらに、方法は、処理されたコンテンツに応答して制御情報を生成することを備えることができる。さらに、方法は、送信ダイバーシティ方式を用いて制御情報を送信するための２つの又はそれより多い送信アンテナと関連づけられた２つの又はそれより多いリソースを割り当てることを備えることができる。さらに、方法は、予め決められた巡回シフトデルタ（ｃｙｃｌｉｃ  ｓｈｉｆｔ  ｄｅｌｔａ）パラメータを適用することによって巡回シフトを決定することを備えることができる。
【０００８】
さらに他の態様は、コンピュータによって読み取り可能な媒体を備えるコンピュータプログラム製品に関連する。コンピュータによって読み取り可能な媒体は、受信されたコンテンツを処理することをコンピュータに行わせるための符号を含むことができる。さらに、コンピュータによって読み取り可能な媒体は、処理されたコンテンツに応答して制御情報を生成することをコンピュータに行わせるための符号を含むことができる。さらに、コンピュータによって読み取り可能な媒体は、送信ダイバーシティ方式を用いて制御情報を送信するための２つの又はそれより多い送信アンテナと関連づけられた２つの又はそれより多いリソースを割り当てることをコンピュータに行わせるための符号を含むことができる。さらに、コンピュータによって読み取り可能な媒体は、予め決められた巡回シフトデルタパラメータを適用することによって巡回シフトを決定することをコンピュータに行わせるための符号を含むことができる。
【０００９】
さらに他の態様は、装置に関連する。装置は、受信されたコンテンツを処理するための手段を含むことができる。さらに、装置は、処理されたコンテンツに応答して制御情報を生成するための手段を備えることができる。さらに、装置は、送信ダイバーシティ方式を用いて制御情報を送信するための２つの又はそれより多い送信アンテナと関連づけられた２つの又はそれより多いリソースを割り当てるための手段を備えることができる。さらに、装置は、予め決められた巡回シフトデルタパラメータを適用することによって巡回シフトを決定するための手段を備えることができる。
【００１０】
他の態様は、装置に関連する。装置は、受信されたコンテンツを処理し、処理されたコンテンツに応答して制御情報を生成し、送信ダイバーシティ方式を用いて制御情報を送信するための２つの又はそれより多い送信アンテナと関連づけられた２つの又はそれより多いリソースを割り当て、及び予め決められた巡回シフトデルタパラメータを適用することによって巡回シフトを決定するために動作可能な送信ダイバーシティモジュールを含むことができる。
【００１１】
さらに、１つ又は複数の態様及びそれらの対応する開示により、送信ダイバーシティ方式を用いる通信を受信することと関係させて様々な態様が説明される。一態様により、送信ダイバーシティ方式を用いる通信を受信するための方法が提供される。方法は、無線通信デバイス（ＷＣＤ）が送信ダイバーシティ方式を用いて送信することが可能であるかどうかを決定することを備えることができる。さらに、方法は、ＷＣＤが送信ダイバーシティ方式を用いて送信することが可能であることの決定に基づいて予め決められた巡回シフトデルタパラメータを適用することによって決定された巡回シフトに割り当てられた２つの又はそれより多いリソースを用いる送信ダイバーシティ方式を用いて受信された制御情報を処理することを備えることができる。
【００１２】
さらに他の態様は、コンピュータによって読み取り可能な媒体を備えるコンピュータプログラム製品に関連する。コンピュータによって読み取り可能な媒体は、無線通信デバイス（ＷＣＤ）が送信ダイバーシティ方式を用いて送信することが可能であるかどうかを決定することをコンピュータに行わせるための符号を含むことができる。さらに、コンピュータによって読み取り可能な媒体は、予め決められた巡回シフトデルタパラメータを適用することによって決定された巡回シフトに割り当てられた２つの又はそれより多いリソースを用いる送信ダイバーシティ方式を用いて受信された制御情報を処理することをコンピュータに行わせるための符号を含むことができる。
【００１３】
さらに他の態様は、装置に関連する。装置は、無線通信デバイス（ＷＣＤ）が送信ダイバーシティ方式を用いて送信することが可能であるかどうかを決定するための手段を含むことができる。さらに、装置は、予め決められた巡回シフトデルタパラメータを適用することによって決定された巡回シフトに割り当てられた２つの又はそれより多いリソースを用いる送信ダイバーシティ方式を用いて受信された制御情報を処理するための手段を備えることができる。
【００１４】
さらに他の態様は、装置に関連する。装置は、無線通信デバイス（ＷＣＤ）が送信ダイバーシティ方式を用いて送信することが可能であるかどうかを決定し、及び、ＷＣＤが送信ダイバーシティ方式を用いて送信することが可能であることの決定に基づいて、予め決められた巡回シフトデルタパラメータを適用することによって決定された巡回シフトに割り当てられた２つの又はそれより多いリソースを用いる送信ダイバーシティ方式を用いて受信された制御情報を処理するために動作可能な送信ダイバーシティモジュールを含むことができる。
【００１５】
上記及び関連する目的を完遂するために、１つ又は複数の態様は、以降において十分に説明され及び請求項において特に強調される特徴を備える。以下の説明及び添付図面は、１つ又は複数の態様の一定の例示的特徴を詳述する。しかしながら、これらの特徴は、様々な態様の原理を使用することができる様々な方法のうちの幾つかを示すにすぎず、この説明は、すべての該態様及びそれらの同等物を含むことが意図される。
【００１６】
開示される態様は、以下においては、開示される態様を限定するためではなく例示するために提供された添付図面と関係させて説明され、類似の表示は、類似の要素を表す。
【図面の簡単な説明】
【００１７】
【図１】図１は、一態様による無線通信システムにおける通信のための送信ダイバーシティを容易にするためのシステムのブロック図を示す。
【図２】図２は、一態様による通信のための送信ダイバーシティを容易にするための方法の例示的なフロー図を示す。
【図３Ａ】図３Ａは、一態様による例示的な送信ダイバーシティ構造を示した図である。
【図３Ｂ】図３Ｂは、他の態様による例示的な送信ダイバーシティ構造を示した図である。
【図４】図４は、一態様による通信のための送信ダイバーシティを容易にすることができる例示的な無線通信デバイスのブロック図を示す。
【図５】図５は、ここにおいて説明される他の態様による、送信ダイバーシティ方式を用いる通信を受信するように構成された基地局のアーキテクチャを示すブロック図である。
【図６】図６は、一態様による通信のための送信ダイバーシティを容易にすることができる例示的な通信システムのブロック図を示す。
【図７】図７は、一態様による送信ダイバーシティ方式を用いる通信を受信する例示的な通信システムのブロック図を示す。
【詳細な説明】
【００１８】
ここで図面を参照して様々な態様が説明される。以下の記述においては、説明する目的上、１つ又は複数の態様について徹底的に理解できるようにするために数多くの具体的な詳細が示される。しかしながら、該態様は、これらの具体的な詳細なしに実践可能であることが明確であろう。
【００１９】
一般に、デバイス間での通信中には、制御情報をデバイス間で通信することができる。
【００２０】
例えば、成功裏に受信されたコンテンツに関しては肯定応答（ＡＣＫ）が送信され、不成功裏に受信されたコンテンツに関しては否定応答（ＮＡＣＫ）が送信される。他の例として、制御情報は、チャネル品質インジケータ（ＣＱＩ）を含むことができる。さらに、追加の例として、制御情報は、スケジューリング要求（ＳＲ）を含むことができる。
【００２１】
通信が成功裏に受信されうる確率を向上させるために、送信ダイバーシティを用いることができる。送信ダイバーシティ方式は、実質的に同様の通信の複数のソースを対象とし、それにより通信において冗長性を提供することができる。さらに、送信ダイバーシティ方式は、通信のための複数のリソースを提供することを通じて実装することができる。該複数のリソースは、順方向リンク（ＦＬ）送信において（例えば、基地局からユーザ装置［ＵＥ］へのダウンリンクチャネルで）、又は逆方向リンク（ＲＬ）送信において（例えば、ＵＥから基地局へのアップリンクチャネルで）、又は両方において、使用することができる。送信される制御情報に少なくとも部分的に依存して様々な送信ダイバーシティ方式を用いることができる。例えば、ＡＣＫ／ＮＡＣＫ及び／又はＳＲを通信するために、様々な送信ダイバーシティ方式を用いることができ、例えば、仮想送信機スイッチ送信ダイバーシティ（ｖｉｒｔｕａｌ  ｔｒａｎｓｍｉｔｔｅｒ  ｓｗｉｔｃｈ  ｔｒａｎｓｍｉｔ  ｄｉｖｅｒｓｉｔｙ）（ＶＴＳＴＤ）方式、巡回遅延ダイバーシティ（ｃｙｃｌｉｃ  ｄｅｌａｙ  ｄｉｖｅｒｓｉｔｙ）（ＣＤＤ）方式、多リソースダイバーシティ方式、等である。さらに、ＣＱＩを通信するために、様々な送信ダイバーシティ方式を用いることができ、例えば、空間時間ブロック符号（ＳＴＢＣ）ダイバーシティ、ＶＴＳＴＤ方式、ＣＤＤ方式、多リソース送信ダイバーシティ方式、等である。
【００２２】
次に、請求される主題の限定ではなく明確化を目的として上記の送信ダイバーシティ方式がより詳細に説明される。仮想送信機スイッチ送信ダイバーシティ（ＶＴＳＴＤ）方式は、送信ダイバーシティ装備（ａｒｒａｎｇｅｍｅｎｔ）において送信する２つのアンテナ間での移相の変化を使用することができる。適切な場合は、移相は、送信された信号の後続する時間枠、又は該時間枠のグループ／一部分に関して変更することができる。さらに、移相は、経時でランダム化すること、何らかの動的な時間に基づく関数、例えば、ステップ関数、により変化させること（例えば、各時間枠ごとに９０度の移相）、等、ができる。巡回遅延ダイバーシティ（ＣＤＤ）方式は、単一の単搬送波周波数分割多重（ＳＣ−ＦＤＭ）シンボルにおいて実装することができる。多重化能力は、有効な複合チャネルの増大された遅延拡散に起因して低下することがある。さらに、他の例として、空間時間ブロック符号（ＳＴＢＣ）ダイバーシティ方式は、通信の複数のコピーを送信するために複数のアンテナを用いることができる。
【００２３】
複数のリソースを使用することは、十分なダイバーシティを提供することができるが、送信ダイバーシティ方式のために複数のリソースを常に利用可能であるわけではない。例えば、幾つかの規格は、データの送信のために単一のリソースしか提供しない。一例として、第３世代パートナーシッププロジェクト（３ＧＰＰ）ロングタームエボリューション（ＬＴＥ）ネットワークにおいては、物理アップリンク制御チャネル（ＰＵＣＣＨ）で送信されるデータに対しては単一のリソースのみが割り当てられる。従って、異なる時間又は周波数リソースを使用することは、ＬＴＥ  ＰＵＣＣＨデータに関しては利用可能でない。同様に、その他のシステムは、単一のリソースを用いる制御、トラフィック、パイロット、等、データを規定し、直交リソース送信をネゲートする。該システムにおいては、送信ダイバーシティのその他の方法が役立つことができる。
【００２４】
ここで図１を参照して、無線通信システムにおける通信のための送信ダイバーシティを容易にするためのシステム１００のブロック図が示される。システム１００は、１つ又は複数の基地局１２０と１つ又は複数の無線通信デバイス（ＷＣＤ）１１０（例えば、端末）とを含むことができ、それらは、各々のアンテナ１２６及び１１６を介して通信することができる。一態様においては、基地局１２０は、Ｅ−ＮｏｄｅＢとして機能することができる。一態様において、基地局１２０は、アンテナ１２６を介しての端末１１０へのダウンリンク（ＤＬ）通信を行うことができる。端末１１０において、ＤＬ通信は、アンテナ１１６を介して受信することができる。ＤＬ通信は、ＷＣＤ１１０にコンテンツを提供することができる。基地局１２０から端末１１０に通信された受信されたコンテンツは、該コンテンツが成功裏に受信されているかどうかを決定するために分析することができる。他の態様においては、端末１１０は、アンテナ１１６を介しての基地局１２０へのアップリンク（ＵＬ）通信を行うことができる。基地局１２０においては、ＵＬ通信は、アンテナ１２６を介して受信することができる。さらに、制御情報は、基地局１２０と端末１１０との間で通信することができ、例えば、ＣＱＩ、ＳＲ及び／又はＡＣＫ／ＮＡＣＫであり、肯定応答（ＡＣＫ）は、成功裏に受信されたコンテンツに関して送信することができ及び／又は否定応答（ＮＡＣＫ）は、不成功裏に受信されたコンテンツに関して送信することができる。
【００２５】
一態様においては、ＷＣＤ１１０は、送信ダイバーシティモジュール１１２を通じて容易にされた送信ダイバーシティ方式１１４を用いて制御情報を通信することができる。さらに、該通信された制御情報は、送信ダイバーシティモジュール１２２を通じて容易にされた同意された（ａｇｒｅｅｄ  ｕｐｏｎ）送信ダイバーシティ方式１２４を用いて基地局１２０によって受信することができる。さらに、送信ダイバーシティモジュール（１１２、１２２）は、送信ダイバーシティ方式、例えば、多リソース送信ダイバーシティ、ＶＴＳＴＤ、ＣＤＤ、ＳＴＢＣダイバーシティ、等に同意することができ、ただしそれらに限定されない。
【００２６】
一態様においては、送信ダイバーシティモジュール（１１２、１２２）は、リソース割り当てスケジューリング方針、すなわち、制御情報フィードバックのために用いる巡回シフト及び直交カバー（ｏｒｔｈｏｇｏｎａｌ  ｃｏｖｅｒ）を決定する規則、にさらに同意すべきである。スケジューリング方針は、ＵＥにおけるＰＵＣＣＨチャネルのための複数のリソースを規定することができる。動作上は、ＷＣＤ１１０及び基地局１２０は、通信相手である１つ又は複数のリソースブロック（ＲＢ）に同意することができる。１つ又は複数のＲＢが決定された時点で、送信ダイバーシティモジュール（１１２、１２２）は、複数の直交リソースを生成することができる。リソースの数は、システムによってサービスが提供されるＷＣＤの数、支配的なチャネル状態、システム内での干渉レベル、マルチパス散乱、等、又はそれらの組み合わせに少なくとも部分的に基づいて決定することができる。リソースの数を制御するために、送信ダイバーシティモジュール（１１２、１２２）は、異なる巡回シフトを有する異なるリソース間での最小の時間領域分離を決定する適切な巡回シフトデルタパラメータを割り当てることができる。１つのリソースは、１つの巡回シフト＋１つの直交カバーに対応するため、このような方法での送信ダイバーシティのための利用可能なリソースの総数は、ＮｕｍｂｅｒＣｙｃｌｉｃ Ｓｈｉｆｔ×ＮｕｍｂｅｒＯｒｔｈｏｇｏｎａｌ  Ｃｏｖｅｒ  Ａｌｌｏｃａｔｉｏｎによって決定することができる。このため、例えば、１２の巡回シフトが利用可能であり、３つの直交カバー割り当てである場合は、システムにおいては合計３６のリソースを利用することができる。送信ダイバーシティを実装するために、少なくとも２つの該リソース（又は、例えば、より大きい多アンテナ送信に関してはそれよりも多い）を、システム内においてサービスが提供される各ＷＣＤに対して割り当てることができる。
【００２７】
図２は、提示される主題の様々な態様による様々な方法を示す。説明の単純化を目的として、方法は、一連の行為として示されて説明される一方で、幾つかの行為は、ここにおいて示されて説明される順序と異なる順序で及び／又はその他の行為と同時並行して生じることができるため、請求される主題は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、請求される主題により方法を実装するためにすべての例示される行為が要求されるわけではない。さらに、以降において及びこの明細書全体において開示される方法は、該方法をコンピュータに搬送及び転送するのを容易にするための製造品において格納することが可能であることがさらに評価されるべきである。ここにおいて用いられる場合における用語製造品は、コンピュータによって読み取り可能なデバイス、キャリア、又は媒体からアクセス可能なコンピュータプログラムを包含することが意図される。
【００２８】
ここで図２を参照すると、通信のための送信ダイバーシティを容易にするための例示的な方法２００が示される。一般に、参照数字２０２において、コンテンツが無線通信デバイス（ＷＣＤ）によって受信される。一態様においては、コンテンツは、基地局、他のＷＣＤ、等から受信することができる。参照数字２０４において、受信されたコンテンツを処理して制御情報、例えば、ＡＣＫ／ＮＡＣＫ、ＣＱＩ、ＳＲ、等を生成することができ、ここで、成功裏に受信されたコンテンツに関しては肯定応答（ＡＣＫ）が生成され、不成功裏に受信されたコンテンツに関しては否定応答（ＮＡＣＫ）が生成される。一態様においては、制御情報は、ロングタームエボリューション（ＬＴＥ）物理アップリンク制御チャネル（ＰＵＣＣＨ）フォーマット０、１、１ａ、又は１ｂ、ＬＴＥ拡張ＰＵＣＣＨフォーマット１、を用いてフォーマット化することができ、拡張されたＰＵＣＣＨフォーマット１は、制御情報のために用いられる追加のリソース、ＬＴＥ  ＰＵＣＣＨフォーマット２、等を含む。他の態様においては、生成することは、１ビットバイナリ位相偏移変調（ＢＰＳＫ）フォーマット、２ビット直交位相偏移変調（ＱＰＳＫ）フォーマット、１６ビット直交振幅変調（ＱＡＭ）フォーマット、６４ビットＱＡＭフォーマット、等を用いて制御情報をフォーマット化することをさらに備えることができる。
【００２９】
参照数字２０６において、ＷＣＤが送信ダイバーシティ方式を用いて通信することが可能であるかどうかが決定される。参照数字２０６において、ＷＣＤが送信ダイバーシティ方式を用いて通信することが可能でないことが決定された場合は、参照数字２０８において、制御情報の通信のために単一のリソースを割り当てることができ、参照数字２１０において、単一のリソース応答を送信することができる。一態様においては、送信された応答は、基地局、他のＷＣＤ、等に送信することができる。
【００３０】
対照的に、参照数字２０６において、ＷＣＤが送信ダイバーシティ方式を用いて通信することが可能であることが決定された場合は、参照数字２１２において、同意された送信ダイバーシティ方式を実装することができ、及び、一態様においては、生成された応答を通信するために複数のリソースを割り当てることができる。一態様においては、基地局は、ＷＣＤとの通信前に使用すべき送信ダイバーシティ方式を選択する。他の態様においては、ＷＣＤは、基地局が適合することができる可能な送信ダイバーシティ方式の中から選択することができる。
【００３１】
参照数字２１４において、応答において用いることができる巡回シフトの数を決定するために巡回シフトデルタパラメータを用いることができる。巡回シフトデルタパラメータのために用いられる値が小さくなるのに従い、利用可能なリソースの数が増加することができる。通信システム１００のニーズに基づき、より大きい又はより短いシフトを有する巡回シフトを生成するために巡回シフトデルタパラメータを選択することができる。参照数字２１４において、決定された巡回シフトに制御情報を割り当てることができる。
【００３２】
送信ダイバーシティ方式が同意され、そして使用されるべき巡回シフトが巡回シフトデルタパラメータによって決定することができるようになると、ＷＣＤは、参照数字２１８において応答通信を送信することができる。送信された応答は、例えば、ここにおいて説明されるように、異なる時間領域直交カバーによって特徴付けられる複数の個別のリソースを含むことができる。拡張されたサイクリックプリフィックスを有するＬＴＥのコンテキストにおける１つの特定の例においては、例えば、同じ巡回シフトを有するＰＵＣＣＨフォーマット１／１ａ／１ｂのための、送信ダイバーシティ方式を用いた制御情報での通信のための追加の個別のリソースを、スロット内における４つのデータＳＣ−ＦＤＭシンボルにおける次の時間領域直交カバー、すなわち、＋＋−−及び＋−＋−、を使用することによって生成することができ、それらは、ＬＴＥリリース８仕様では用いられない。
【００３３】
追加的に及び／又は任意選択的に、参照数字２２０において、直交カバーは、応答通信に適用することができる。直交カバー割り当ては、無線信号の時間リソースにおいて繰り返される拡散系列の複数のインスタンス（ｉｎｓｔａｎｃｅ）を使用することができる。
【００３４】
一態様においては、直交カバー（ＯＣ）は、共通リソースにおいて複数のＷＣＤを多重化するために典型的に利用され、送信ダイバーシティ装備の複数の送信機のために実装することができる。該態様においては、参照数字２２２において、いずれかのＯＣが利用可能であるが現在は未使用であるかどうかが決定される。例えば、（例えば、特定のチャネルでのパイロット又はデータシンボルに関する制限に基づいて）システムが許容可能なＯＣの一部分のみを使用する場合は、利用可能なＯＣは、送信ダイバーシティ目的で使用することができる。参照数字２２２において、追加のＯＣが利用可能でないことが決定された場合は、参照数字２１８において応答を送信することができる。
【００３５】
対照的に、参照数字２２２において、追加のＯＣを利用可能であることが決定された場合は、参照数字２２４において、制御情報、例えば、ＡＣＫ／ＮＡＣＫ、ＣＱＩ、ＳＲ、等、の送信のための追加のリソースを提供するために追加のＯＣを用いることができる。
【００３６】
ここで図３Ａ及び３Ｂを参照して、様々な送信ダイバーシティ方式を容易にするための例示的な構造が示される。上記において簡単に説明されるように、制御情報の通信のために様々な送信ダイバーシティ方式を実装することができる。ここで図３Ａを参照すると、仮想送信アンテナ構造３００が描かれる。構造の一態様においては、送信ダイバーシティ方式において制御情報（３０４、３０６）の複数のインスタンスを送信するために複数の送信アンテナ３０２を用いることができる。該態様においては、プリコーディングベクトル（例えば、［ａ，ｂ］）は、いずれのアンテナを通信のために用いることができるかを決定する際にスロットからスロットにランダムにホップ（ｈｏｐ）することができる。１つの該態様においては、複数のアンテナは、仮想アンテナであることができる。他の態様においては、制御情報（３０４、３０６）の複数のインスタンスは、単一のＳＣ−ＦＤＭシンボルにおいて符号化することができる。従って、システムの多重化能力は、送信ダイバーシティ以外によって可能にされる方式から不変であることができる。一態様において、仮想送信アンテナ構造３００は、ＬＴＥリリース８フォーマット１、１ａ、１ｂ、２、２ａ及び２ｂのために適用可能であることができる。
【００３７】
ここで図３Ｂを参照すると、巡回遅延ダイバーシティ構造３０１が示されている。上述される送信ダイバーシティ方式と同様に、制御情報（３０４、３０６）の複数のインスタンスを単一のＳＣ−ＦＤＭシンボルにおいて符号化することができる。しかしながら、仮想送信アンテナ構造３００と異なり、巡回遅延３０８モジュールは、制御情報３０６の第２のインスタンスの通信を遅延するために用いることができる。例えば、第１のインスタンスは時間（ｔ）において送信することができると仮定すると、第２のインスタンスは、巡回遅延の関数としてのちの時間に送信することができる（例えば、ｍｏｄ（ｔ−ｔ０Ｔ））。従って、多重化能力は、増大したチャネル遅延拡散に起因して低下されることがある。一態様においては、巡回遅延ダイバーシティを有する送信ダイバーシティ方式の使用は、ＬＴＥリリース８における巡回シフトデータパラメータを変更することによって可能にすることができる。さらに、一態様においては、巡回遅延ダイバーシティ構造３０１は、ＬＴＥリリース８フォーマット１、１ａ、１ｂ、２、２ａ及び２ｂに関して適用可能であることができる。
【００３８】
ここで図４を参照して、通信のための送信ダイバーシティを容易にすることができる無線通信デバイス（ＷＣＤ）４００（例えば、クライアントデバイス）の例示が提示される。ＷＣＤ４００は、例えば１つ又は複数の受信アンテナ（示されていない）から１つ又は複数の信号を受信し、受信された信号に対して例示的な動作（例えば、フィルタリング、増幅、ダウンコンバージョン、等）を行い、コンディショニングされた信号をデジタル化してサンプルを得る受信機４０２を備える。受信機４０２は、受信された信号の復調のための搬送波周波数を提供することができる発振器と、受信されたシンボルを復調してそれらをチャネル推定のためにプロセッサ４０６に提供することができる復調器と、をさらに備えることができる。一態様においては、クライアントデバイス４００は、２次受信機４５２をさらに備えることができ及び情報の追加のチャネルを受信することができる。
【００３９】
プロセッサ４０６は、受信機４０２によって受信された情報を分析すること及び／又は１つ又は複数の送信機４２０（例示を容易にするために１つの送信機のみが示される）による送信のための情報を生成することを専用とするプロセッサ、ＷＣＤ４００の１つ又は複数のコンポーネントを制御するプロセッサ、及び／又は受信機４０２及び／又は受信機４５２によって受信された情報を分析し、１つ又は複数の送信アンテナ（示されていない）での送信のための送信機４２０による送信のための情報を生成し、及びＷＣＤ４００の１つ又は複数のコンポーネントを制御するプロセッサであることができる。
【００４０】
ＷＣＤ４００はさらに、プロセッサ４０６に動作的に結合され、そして、このメモリ４０８は、送信されるべきデータ、受信されたデータ、利用可能なチャネルに関連する情報、分析された信号及び／又は干渉の強度と関連づけられたデータ、割り当てられたチャネル、電力、レート、等、に関連する情報、及びチャネルを推定するため及びそのチャネルを介して通信するためのその他の適切な情報、を格納することができるメモリ４０８を備えることができる。メモリ４０８は、チャネルを推定する及び／又は利用することと関連づけられたプロトコル及び／又はアルゴリズムをさらに格納することができる（例えば、性能に基づく、容量に基づく）。一態様においては、メモリは、成功裏に受信されたコンテンツ４１０を含むことができる。該態様においては、成功裏に受信されたコンテンツ４１０は、基地局、その他のＷＣＤ、等から送信されたコンテンツの一部及び／又は全部を含むことができる。
【００４１】
ここにおいて説明されるデータストア（例えば、メモリ４０８）は、揮発性メモリ又は非揮発性メモリのいずれかであることができ、又は揮発性メモリと非揮発性メモリの両方を含むことができることが評価されるであろう。一例として、及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能プログラマブルＰＲＯＭ（ＥＥＰＲＯＭ）、又はフラッシュメモリを含むことができる。揮発性メモリは、外部のキャッシュメモリとして動作するランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンク（Ｓｙｎｃｈｌｉｎｋ）ＤＲＡＭ（ＳＬＤＲＡＭ）、及びダイレクトランバス（Ｒａｍｂｕｓ）ＲＡＭ（ＤＲＲＡＭ）、で入手可能である。主題のシステム及び方法のメモリ４０８は、限定されることなしに、これらの及びその他の適切なタイプのメモリを備えることが意図される。
【００４２】
ＷＣＤ４００は、ＷＣＤ４００からの通信のための送信ダイバーシティを容易にする送信ダイバーシティモジュール４１２をさらに備えることができる。一態様において、送信ダイバーシティ方式を通じて送信された情報は、基地局、他のＷＣＤ、等から受信されたコンテンツに応答するものであることができる。送信ダイバーシティモジュール４１２は、リソース割り当てモジュール４１４と、巡回シフトデルタモジュール４１６と、をさらに含むことができ、及び、予め決められた送信ダイバーシティ方式を用いる１つ又は複数の基地局及び／又は１つ又は複数のその他のＷＣＤと通信する、通信を容易にするために動作可能であることができる。さらに、一態様においては、送信ダイバーシティモジュール４１２は、直交カバー割り当てモジュール４１８を含むことができる。さらに、一態様においては、プロセッサ４０６は、送信ダイバーシティモジュール４１２が受信されたコンテンツを処理し、処理されたコンテンツに応答して制御情報を生成し、送信ダイバーシティ方式を用いて制御情報を送信するための２つの又はそれより多い送信アンテナと関連づけられた２つの又はそれより多いリソースを割り当て、割り当てられたリソースへの巡回シフトデルタパラメータを決定し、及び決定された割り当てられたリソースに制御情報を割り当てることを可能にするための手段を提供することができる。
【００４３】
一態様においては、リソース割り当てモジュール４１４は、送信ダイバーシティ方式を用いて送信される制御情報に複数のリソースを割り当てるために動作可能であることができる。一態様においては、基地局は、ＷＣＤ４００との通信前に用いる送信ダイバーシティ方式を選択することができる。他の態様においては、ＷＣＤは、基地局が適合することができる可能な送信ダイバーシティ方式の中から選択することができる。
【００４４】
他の態様においては、巡回シフトデルタパラメータモジュール４１６は、割り当てられたリソースのための利用可能な巡回シフトの数を決定するために動作可能であることができる。このため、巡回シフトデルタパラメータのために用いられる値が小さくなるのに従い、利用可能なリソースの数が増加することができる。他方、信号ダイバーシティを増大させるために、大きな巡回シフトデルタパラメータ、例えば、拡散関数の複数のビット、を選択することができる。従って、通信システムのニーズに基づき、巡回シフトデルタパラメータは、それよりも多い又は少ない数の巡回シフトを生成することができる。
【００４５】
さらなる態様においては、直交カバー（ＯＣ）割り当てモジュール４１０は、リソース送信のために追加の未使用のＯＣを利用可能であるかどうかを決定するために動作可能であることができる。直交カバー割り当ては、無線信号の時間リソース全体において繰り返される拡散系列の複数のインスタンスを使用することができる。一態様においては、直交カバー（ＯＣ）は、共通のリソースにおいて複数のＷＣＤを多重化するために典型的に利用され、送信ダイバーシティ装備の複数の送信機のために実装することができる。
【００４６】
例えば、ＬＴＥ  ＰＵＣＣＨフォーマット１ａ／１ｂを用いる通信に関しては、６つの巡回シフト（ＣＳ）を利用することができる。説明される例においては、制御情報（例えば、ＡＣＫ／ＮＡＣＫ）のために３つのＳＣ−ＦＤＭシンボルが用いられ、基準信号のために４つのＳＣ−ＦＤＭシンボルが用いられると仮定する。従って、３つの基準シンボルにおける６つの巡回シフト×３つの可能な直交カバーは、基準信号の多重化のための１８の利用可能な直交リソースに等しい。対照的に、４つのデータＳＣ−ＦＤＭシンボルにおける６つの巡回シフト×４つの直交カバーは、ＡＣＫ／ＮＡＣＫ多重化のための２４の合計の直交リソースに等しい。一定の態様においては、基準信号のための１８の利用可能なリソースと関連づけられた限度に部分的に起因して１８のリソースのみがＡＣＫ／ＮＡＣＫ多重化のために利用可能である。従って、該態様においては、現在のＲｅｌ−８ＬＴＥ仕様においては２４−１８＝６つの直交リソースが未使用状態であり、それらは、ＬＴＥ−ａｄｖａｎｃｅｄ仕様における制御情報通信のために利用可能であることができる。
【００４７】
さらに、クライアントデバイス４００は、ユーザインタフェース４４０を含むことができる。ユーザインタフェース４４０は、ＷＣＤ４００への入力を生成するための入力機構４４２と、無線デバイス４００のユーザによる消費のための情報を生成するための出力機構４４２と、を含むことができる。例えば、入力機構４４２は、キー又はキーボード、マウス、タッチ画面式ディスプレイ、マイク、等の機構を含むことができる。さらに、例えば、出力機構４４４は、ディスプレイと、オーディオスピーカと、触覚式フィードバック機構と、パーソナルエリアネットワーク（ＰＡＮ）トランシーバと、等を含むことができる。例示される態様においては、出力機構４４４は、画像又は映像形式であるコンテンツを提示するために動作可能なディスプレイと、オーディオ形式であるコンテンツを提示するためのオーディオスピーカと、を含むことができる。
【００４８】
図５を参照して、システム例５００は、複数の受信アンテナ５０６を通じて１つ又は複数のユーザデバイス４００から信号を受信する受信機５１０、及び複数の送信アンテナ５０８を通じて１つ又は複数のユーザデバイス４００に送信する送信機５２０を有する基地局５０２を備えるシステム例５００。受信機５１０は、受信アンテナ５０６から情報を受信することができる。シンボルは、上述されるプロセッサに類似し及びデータ処理に関連する情報を格納するメモリ５１４に結合されるプロセッサ５１２によって分析することができる。プロセッサ５１２は、送信ダイバーシティ方式を用いる１つ又は複数の各々のユーザデバイス４００と関連づけられた通信を受信することを容易にする送信ダイバーシティモジュール５１６にさらに結合される。信号は、ユーザデバイス４００への１つ又は複数の送信アンテナ５０８を通じての送信機５２０による送信のために多重化及び／又は準備することができる。
【００４９】
一態様においては、送信ダイバーシティモジュール５１６は、リソース割り当てモジュール５１７を含むことができ、巡回シフトモジュール５１８は、予め決められた送信ダイバーシティ方式を用いる１つ又は複数のＷＣＤ４００と通信するために動作可能であることができる。さらに、一態様においては、送信ダイバーシティモジュール５１６は、直交カバー割り当てモジュール５１９を含むことができる。さらに、システム５００の一態様においては、プロセッサ５１２は、送信ダイバーシティモジュール５１６が、無線通信デバイス（ＷＣＤ）が送信ダイバーシティ方式を用いて送信することが可能であるかどうかを決定すること、及び、ＷＣＤが送信ダイバーシティ方式を用いて送信することが可能であることの決定に基づいて、送信ダイバーシティ方式、予め決められたリソース割り当て、及び予め決められた巡回シフトデルタパラメータを用いて受信された制御情報を処理することを可能にするための手段を提供する。
【００５０】
一態様においては、リソース割り当てモジュール５１７は、ＷＣＤ４００で送信ダイバーシティ方式を実装するためにいずれの複数のリソースを用いることができるかを決定するために動作可能であることができる。一態様においては、基地局５０２は、ＷＣＤ４００との通信前に使用すべき送信ダイバーシティ方式を選択することができる。他の態様においては、ＷＣＤは、基地局が適合することができる可能な送信ダイバーシティ方式の中から選択することができる。
【００５１】
他の態様においては、サイクリックプリフィックスデルタ割り当てパラメータモジュール（cyclic prefix delta assignment module）５１８は、通信のために利用可能である巡回シフトの決定された数に適用されるリソースを処理するために動作可能であることができる。従って、巡回シフトデルタパラメータのために用いられる値が小さくなるのに従い、利用可能なリソースの数が増加することができる。他方、信号ダイバーシティを向上させるために、大きい巡回シフトデルタパラメータ、例えば、拡散関数の複数のビット、を選択することができる。このように、通信システムのニーズに基づいて、巡回シフトデルタパラメータは、より多い又はより少ない数の巡回シフトを生成することができる。
【００５２】
さらなる態様においては、直交カバー（ＯＣ）割り当てモジュール５１９は、追加の未使用のＯＣをリソース送信のために使用可能であるかどうかを決定するために動作可能であることができる。直交カバー割り当ては、無線信号の時間リソースにおいて繰り返される拡散系列の複数のインスタンスを使用することができる。一態様においては、直交カバー（ＯＣ）は、共通のリソースにおいて複数のＷＣＤを多重化するために典型的に利用され、送信ダイバーシティ装備の複数の送信機のために実装することができる。
【００５３】
図６を参照して、通信のための送信ダイバーシティを容易にするすることができる例示的なシステム６００のブロック図が示される。例えば、システム６００は、無線デバイス内に少なくとも部分的に常駐することができる。他の態様例により、システム６００は、アクセス端末内に少なくとも部分的に常駐することができる。システム６００は、プロセッサ、ソフトウェア、又はそれらの組合せ（例えばファームウェア）によって実装される機能を表す機能ブロックであることができる機能ブロックを含むものとして表されることが評価されるべきである。システム６００は、連係して動作することができる手段から成る論理グループ（logical grouping）６０２を含む。例えば、論理グループ６０２は、受信されたコンテンツ６０４を処理するための手段を含むことができる。さらに、論理グループ６０２は、処理されたコンテンツ６０６に応答して制御情報を生成するための手段を備えることができる。一態様においては、制御情報は、１つ又は複数のハイブリッド自動再送要求（ＨＡＲＱ）肯定応答又は否定応答（ＡＣＫ／ＮＡＣＫ）と、チャネル品質インジケータ（ＣＱＩ）と、スケジューリング要求（ＳＲ）と、を含むことができる。この態様においては、制御情報は、ロングタームエボリューション（ＬＴＥ）物理アップリンク制御チャネル（ＰＵＣＣＨ）フォーマット０、１、１ａ、又は１ｂ、ＬＴＥ拡張ＰＵＣＣＨフォーマット１、を用いてフォーマット化することができ、拡張されたＰＵＣＣＨフォーマット１は、制御情報のために用いられる追加のビット、ＬＴＥ  ＰＵＣＣＨフォーマット２、等を含む。他の態様においては、生成することは、１ビットバイナリ位相偏移変調（ＢＰＳＫ）フォーマット、２ビット直交位相偏移変調（ＱＰＳＫ）フォーマット、１６ビット直交振幅変調（ＱＡＭ）フォーマット、６４ビットＱＡＭフォーマット、等を用いて制御情報をフォーマット化することをさらに備えることができる。
【００５４】
さらに、論理グループ６０２は、送信ダイバーシティ方式６０８を用いて制御情報を送信するための２つの又はそれより多いアンテナと関連づけられた２つの又はそれより多いリソースを割り当てるための手段を備えることができる。一態様においては、送信することは、物理アップリンク制御チャネル（ＰＵＣＣＨ）、物理アップリンク共有チャネル（ＰＵＳＣＨ）、等を用いて送信することをさらに備えることができる。他の態様においては、送信ダイバーシティ方式は、多リソース送信ダイバーシティ方式と、巡回遅延ダイバーシティ方式と、仮想送信機スイッチ送信ダイバーシティ方式と、空間時間ブロック符号送信ダイバーシティ方式と、等を含む。さらに他の態様においては、基地局からコンテンツを受信するために用いられる２つの又はそれより多いＷＣＤ受信アンテナに対応する２つの又はそれより多い送信アンテナを選択すること、又は、ＷＣＤ及び基地局に知られている予め決められた構成に基づいて２つの又はそれより多い送信アンテナを選択することのうちの少なくとも１つを通じて２つの又はそれより多い送信アンテナを選択することができる。さらに、論理グループ６０２は、予め決められた巡回シフトデルタパラメータ６１０を適用することによって巡回シフトを決定するための手段を備えることができる。
【００５５】
さらに、システム６００は、手段６０４、６０６、６０８及び６１０と関連づけられた機能を実行するための命令を保持するメモリ６１２を含むことができる。手段６０４、６０６、６０８及び６１０はメモリ６１２の外部に存在するものとして示されている一方で、これらの手段のうちの１つ以上は、メモリ６１２内に存在できることが理解されるべきである。
【００５６】
図７を参照し、低減されたオーバーヘッドのＨＡＲＱ通信を処理することができる例示的なシステム７００のブロック図が示される。例えば、システム７００は、基地局、Ｅ−ＮｏｄｅＢ、等内に少なくとも部分的に常駐することができる。他の態様例により、システム７００は、アクセス端末内に少なくとも部分的に常駐することができる。システム７００は、プロセッサ、ソフトウェア、又はそれらの組合せ（例えばファームウェア）によって実装される機能を表す機能ブロックであることができる機能ブロックを含むものとして表されることが評価されるべきである。システム７００は、連係して動作することができる手段から成る論理グループ７０２を含む。例えば、論理グループ７０２は、無線通信デバイス（ＷＣＤ）が送信ダイバーシティ方式７０４を用いて送信することが可能であるかどうかを決定するための手段を含むことができる。他の態様においては、送信ダイバーシティ方式は、多リソース送信ダイバーシティ方式と、巡回遅延ダイバーシティ方式と、仮想送信機スイッチ送信ダイバーシティ方式と、空間時間ブロック符号送信ダイバーシティ方式と、等を含む。
【００５７】
さらに、論理グループ７０２は、送信ダイバーシティ方式、予め決められた巡回シフトデルタパラメータ７０６を適用することによって決定された巡回シフトに割り当てられた２つの又はそれより多いリソースを用いて受信された制御情報を処理するための手段を備えることができる。一態様においては、制御情報は、物理アップリンク制御チャネル（ＰＵＣＣＨ）、物理アップリンク共有チャネル（ＰＵＳＣＨ）、等を用いて受信することができる。他の態様においては、制御情報は、１つ又は複数のハイブリッド自動再送要求（ＨＡＲＱ）肯定応答又は否定応答（ＡＣＫ／ＮＡＣＫ）を含むことができる。該態様においては、制御情報は、ロングタームエボリューション（ＬＴＥ）物理アップリンク制御チャネル（ＰＵＣＣＨ）フォーマット０、１、１ａ、又は１ｂ、ＬＴＥ拡張ＰＵＣＣＨフォーマット１、を用いてフォーマット化することができ、拡張されたＰＵＣＣＨフォーマット１は、制御情報のために用いられる追加のビット、ＬＴＥ  ＰＵＣＣＨフォーマット２、等を含む。さらに他の態様においては、生成することは、１ビットバイナリ位相偏移変調（ＢＰＳＫ）フォーマット、２ビット直交位相偏移変調（ＱＰＳＫ）フォーマット、１６ビット直交振幅変調（ＱＡＭ）フォーマット、６４ビットＱＡＭフォーマット、等を用いて制御情報を生成することをさらに備えることができる。
【００５８】
さらに、システム７００は、手段７０４及び７０６と関連づけられた機能を実行するための命令を保持するメモリ７０８を含むことができる。手段７０４及び７０６はメモリ７０８の外部に存在するものとして示されている一方で、これらの手段のうちの１つ以上は、メモリ７０８内に存在することができることが理解されるべきである。
【００５９】
この出願において用いられる場合において、用語“コンポーネント”、“モジュール”、“システム”、等は、コンピュータに関連するエンティティ、例えば、ハードウェア、ファームウェア、ハードウェアとソフトウェアの組み合わせ、ソフトウェア、又は実行中のソフトウェア、を含み、ただしこれらに限定されないことが意図される。例えば、コンポーネントは、プロセッサにおいて実行中のプロセス、プロセッサ、オブジェクト、エクセキュータブル（ｅｘｅｃｕｔａｂｌｅ）、実行スレッド、プログラム、及び／又はコンピュータであることができ、ただしこれらに限定されない。一例として、計算デバイスにおいて実行中のアプリケーション及びその計算デバイスの両方がコンポーネントであることができる。プロセス及び／又は実行スレッド内には１つ又は複数のコンポーネントが常駐することができ、及び、コンポーネントは、１つのコンピュータ上に局在化する及び／又は２つの又はそれより多いコンピュータ間で分散させることができる。さらに、これらのコンポーネントは、様々なデータ構造が格納されている様々なコンピュータによって読み取り可能な媒体から実行可能である。これらのコンポーネントは、ローカル及び／又は遠隔プロセスによって、例えば１つ又は複数のデータパケット、例えば、ローカルシステム又は分散型システム内の他のコンポーネントと対話中のコンポーネント、及び／又はインターネット等のネットワークを通じて信号を用いてその他のシステムと対話中のコンポーネントからのデータ、を有する信号に従って、通信することができる。
【００６０】
さらに、ここにおいては様々な態様が端末と関係させて説明され、端末は、有線端末又は無線端末であることができる。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、又はユーザ装置（ＵＥ）と呼ぶことも可能である。無線端末は、携帯電話、衛星電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。
【００６１】
さらに、ここにおいては様々な態様が基地局と関係させて説明される。基地局は、無線端末と通信するために利用することができ、アクセスポイント、ノードＢ、又はその他の用語で呼ぶことも可能である。
【００６２】
さらに、用語“又は”は、排他的“又は”ではなく包含的“又は”を意味することが意図される。すなわち、その他の規定がない限り、又は文脈から明らかでない限り、句“Ｘは、Ａ又はＢを使用する”は、自然の包含的置換のうちのいずれかを意味することが意図される。すなわち、句“Ｘは、Ａ又はＢを使用する”は、以下の事例のうちのいずれによっても満たされる。すなわち、ＸがＡを使用する、ＸがＢを使用する、又はＸがＡ及びＢの両方を使用する。さらに、この出願及び添付される請求項において用いられる冠詞“ａ（１つの）”又は“ａｎ（１つの）”は、一般に、その他の規定がない限り又は単数形であることが示されることが文脈から明らかでない限り、“１つ以上”を意味すると解釈されるべきである。
【００６３】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。用語“システム”及び“ネットワーク”は、しばしば互換可能な形で用いられる。ＣＤＭＡシステムは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＣＤＭＡのその他の変形と、を含む。さらに、ｃｄｍａ２０００は、ＩＳ−２０００規格、ＩＳ−９５規格及びＩＳ−８５６規格を網羅する。ＴＤＭＡシステムは、グローバル移動体通信システム（ＧＳＭ（登録商標））、等の無線技術を実装することができる。ＯＦＤＭＡシステムは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを使用し、ダウンリンクにおいてＯＦＤＭＡ及びアップリンクにおいてＳＣ−ＦＤＭＡを使用するＵＭＴＳのリリース版である。ＵＴＲＡ、Ｅ−ＵＴＲＡ、ＵＭＴＳ、ＬＴＥ及びＧＳＭ（登録商標）は、“第３世代パートナーシッププロジェクト”（３ＧＰＰ）という名称の組織からの文書において記述されている。さらに、ｃｄｍａ２０００及びＵＭＢは、“第３世代パートナーシッププロジェクト４”（３ＧＰＰ２）という名称の組織からの文書において記述されている。さらに、該無線通信システムは、対でない免許不要のスペクトル、８０２．ｘｘ無線ＬＡＮ、ＢＬＵＥＴＯＯＴＨ（登録商標）及びその他の短距離又は長距離の無線通信技法をしばしば用いるピアツーピア（例えばモバイル対モバイル）アドホックネットワークシステムをさらに含むことができる。
【００６４】
様々な態様又は特徴は、幾つかのデバイス、コンポーネント、モジュール、等を含むことができるシステムに関して提示される。様々なシステムは、追加のデバイス、コンポーネント、モジュール、等を含むことができ、及び／又は
図と関係させて説明されるすべてのデバイス、コンポーネント、モジュール、等を含まなくてもよいことが理解及び評価されるべきである。
【００６５】
ここにおいて開示される態様と関係させて説明される様々な例示的な論理、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ又は複数のマイクロプロセッサとの組合せ、又はその他のあらゆる適切な構成、として実装することも可能である。さらに、少なくとも１つのプロセッサは、上述されるステップ及び／又は動作のうちの１つ以上を実行するために動作可能な１つ又は複数のモジュールを備えることが可能である。
【００６６】
さらに、ここにおいて開示される態様と関係させて説明される方法又はアルゴリズムのステップ及び／又は動作は、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的記憶媒体は、プロセッサに結合させることができ、このため、プロセッサは、記憶媒体から情報を読み出すこと及び記憶媒体に情報を書き込むことができる。代替においては、記憶媒体は、プロセッサと一体化させることができる。さらに、幾つかの態様においては、プロセッサ及び記憶媒体は、ＡＳＩＣ内に常駐することができる。さらに、ＡＳＩＣは、ユーザ端末内に常駐することができる。代替においては、プロセッサ及び記憶媒体は、ユーザ端末内において個別コンポーネントとして常駐することができる。さらに、幾つかの態様においては、方法又はアルゴリズムのステップ及び／又は動作は、コンピュータプログラム製品内に組み入れることが可能な機械によって読み取り可能な媒体及び／又はコンピュータによって読み取り可能な媒体上において符号及び／又は命令の１つの又はあらゆる組み合わせとして又は符号又は命令の１つの又はあらゆる組として常駐可能である。
【００６７】
１つ又は複数の態様において、説明される機能は、ハードウェア、ソフトウェア、ファームウェア、又はそれらの組み合わせにおいて実装することができる。ソフトウェアにおいて実装される場合は、これらの機能は、１つ又は複数の命令又は符号としてコンピュータによって読み取り可能な媒体に格納すること又は１つ又は複数の命令又は符号として送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能であるその他の媒体、を備えることができる。さらに、いずれの接続もコンピュータによって読み取り可能な媒体であるとすることができる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、通常はレーザを用いて光学的にデータを複製する。上記の組合せも、コンピュータによって読み取り可能な媒体の適用範囲に含めるべきである。
【００６８】
上記の開示は、例示的な態様及び／又は実施形態について説明する一方で、添付された請求項によって定義される説明される態様及び／又は実施形態の適用範囲から逸脱せずに様々な変更及び修正をここにおいて行うことができることが注目されるべきである。さらに、説明される態様及び／又は実施形態の要素は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。
以下に、出願当初の特許請求の範囲に記載された発明を付記する。
［Ｃ１］
通信のための送信ダイバーシティを容易にする方法であって、
受信されたコンテンツを処理することと、
前記処理されたコンテンツに応答して制御情報を生成することと、
送信ダイバーシティ方式を用いて前記制御情報を送信するための２つの又はそれより多い送信アンテナと関連づけられた２つの又はそれより多いリソースを割り当てることと、
予め決められた巡回シフトデルタパラメータを適用することによって巡回シフトを決定することと、
を備える、方法。
［Ｃ２］
前記送信ダイバーシティ方式を用いて前記制御情報を処理するように構成されたデバイスから前記コンテンツを受信することと、
前記送信ダイバーシティ方式を用いる前記デバイスに前記割り当てられたリソース及び決定された巡回シフトを用いて前記制御情報を送信することと、
をさらに備えるＣ１に記載の方法。
［Ｃ３］
前記割り当てられたリソースのうちの１つのために第１の直交カバー（ＯＣ）を割り当てることと、
１つ又は複数の第２のＯＣが利用可能であるかどうかを決定することと、
１つ又は複数の第２のＯＣが利用可能であることの決定に基づき、前記割り当てられたリソースのうちの他の１つのために前記１つ又は複数の第２のＯＣのうちの少なくとも１つを割り当てることと、
をさらに備えるＣ１に記載の方法。
［Ｃ４］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ１に記載の方法。
［Ｃ５］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２より大きいビットを用いるＬＴＥ  ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ１に記載の方法。
［Ｃ６］
前記送信することは、物理アップリンク制御チャネル（ＰＵＣＣＨ）、又は物理アップリンク共有チャネル（ＰＵＳＣＨ）のうちの少なくとも１つを用いて送信することをさらに備えるＣ２に記載の方法。
［Ｃ７］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ１に記載の方法。
［Ｃ８］
コンピュータプログラム製品であって、
受信されたコンテンツを処理することをコンピュータに行わせるための符号と、
前記処理されたコンテンツに応答して制御情報を生成することを前記コンピュータに行わせるための符号と、
送信ダイバーシティ方式を用いて前記制御情報を送信するための２つの又はそれより多い送信アンテナと関連づけられた２つの又はそれより多いリソースを割り当てることを前記コンピュータに行わせるための符号と、
予め決められた巡回シフトデルタパラメータを適用することによって巡回シフトを決定することを前記コンピュータに行わせるための符号と、
を備えるコンピュータによって読み取り可能な媒体、を備える、コンピュータプログラム製品。
［Ｃ９］
前記割り当てられたリソースのうちの１つのために第１の直交カバー（ＯＣ）を割り当てることを前記コンピュータに行わせるための符号と、
１つ又は複数の第２のＯＣが利用可能であるかどうかを決定することを前記コンピュータに行わせるための符号と、
１つ又は複数の第２のＯＣが利用可能であることの決定に基づいて前記１つ又は複数の第２のＯＣのうちの少なくとも１つを前記割り当てられたリソースのうちの他の１つに割り当てることを前記コンピュータに行わせるための符号と、備えるコンピュータ媒体をさらに備えるＣ７に記載のコンピュータプログラム製品。
［Ｃ１０］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ７に記載のコンピュータプログラム製品。
［Ｃ１１］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ
ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ７に記載のコンピュータプログラム製品。
［Ｃ１２］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ７に記載のコンピュータプログラム製品。
［Ｃ１３］
受信されたコンテンツを処理するための手段と、
前記処理されたコンテンツに応答して制御情報を生成するための手段と、
送信ダイバーシティ方式を用いて前記制御情報を送信するための２つの又はそれより多い送信アンテナと関連づけられた２つの又はそれより多いリソースを割り当てるための手段と、
予め決められた巡回シフトデルタパラメータを適用することによって巡回シフトを決定するための手段と、を備える、装置。
［Ｃ１４］
前記送信ダイバーシティ方式を用いて前記制御情報を処理するように構成されたデバイスから前記コンテンツを受信するための手段と、
前記送信ダイバーシティ方式を用いる前記デバイスに前記割り当てられたリソース及び決定された巡回シフトを用いて前記制御情報を送信するための手段と、をさらに備えるＣ１３に記載の装置。
［Ｃ１５］
前記割り当てられたリソースのうちの１つのために第１の直交カバー（ＯＣ）を割り当てるための手段と、
１つ又は複数の第２のＯＣが利用可能であるかどうかを決定するための手段と、
１つ又は複数の第２のＯＣが利用可能であることの決定に基づいて前記１つ又は複数の第２のＯＣのうちの少なくとも１つを前記割り当てられたリソースのうちの他の１つに割り当てるための手段と、
をさらに備えるＣ１３に記載の装置。
［Ｃ１６］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ１３に記載の装置。
［Ｃ１７］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ
ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ１３に記載の装置。
［Ｃ１８］
送信するための前記手段は、物理アップリンク制御チャネル（ＰＵＣＣＨ）、又は物理アップリンク共有チャネル（ＰＵＳＣＨ）のうちの少なくとも１つを用いて送信するための手段をさらに備えるＣ１４に記載の装置。
［Ｃ１９］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ１３に記載の装置。
［Ｃ２０］
無線通信デバイス（ＷＣＤ）であって、
受信されたコンテンツを処理する、
前記処理されたコンテンツに応答して制御情報を生成する、
送信ダイバーシティ方式を用いて前記制御情報を送信するための２つの又はそれより多い送信アンテナと関連づけられた２つの又はそれより多いリソースを割り当てる、及び、
予め決められた巡回シフトデルタパラメータを適用することによって巡回シフトを決定する
ために動作可能な送信ダイバーシティモジュールを備える、無線通信デバイス（ＷＣＤ）。
［Ｃ２１］
デバイスから前記コンテンツを受信する、及び、
前記送信ダイバーシティ方式を用いる前記デバイスに前記割り当てられたリソース及び決定された巡回シフトを用いて前記制御情報を送信するために動作可能なトランシーバをさらに備えるＣ２０に記載のＷＣＤ。
［Ｃ２２］
前記送信ダイバーシティモジュールは、
前記割り当てられたリソースのうちの１つのために第１の直交カバー（ＯＣ）を割り当する、
１つ又は複数の第２のＯＣが利用可能であるかどうかを決定する、及び
１つ又は複数の第２のＯＣが利用可能であることの決定に基づき、前記１つ又は複数の第２のＯＣのうちの少なくとも１つを前記割り当てられたリソースのうちの他の１つに割り当てる
ためにさらに動作可能であるＣ２０に記載のＷＣＤ。
［Ｃ２３］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ２０に記載のＷＣＤ。
［Ｃ２４］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当てる、
前記１つ又は複数のＡＣＫ又はＮＡＣＫを通信するために２超のビットを用いるＬＴＥ
ＰＵＣＣＨ割り当てる、又は
ＬＴＥ  ＰＵＣＣＨフォーマット２のうちの少なくとも１つを用いてフォーマット化され、前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられるＣ２０に記載のＷＣＤ。
［Ｃ２５］
前記トランシーバは、物理アップリンク制御チャネル（ＰＵＣＣＨ）、又は物理アップリンク共有チャネル（ＰＵＳＣＨ）のうちの少なくとも１つを用いて送信するためにさらに動作可能であるＣ２１に記載のＷＣＤ。
［Ｃ２６］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ２０に記載のＷＣＤ。
［Ｃ２７］
送信ダイバーシティ方式を用いる通信を受信するための方法であって、
無線通信デバイス（ＷＣＤ）が送信ダイバーシティ方式を用いて送信することが可能であるかどうかを決定することと、
前記ＷＣＤが送信ダイバーシティ方式を用いて送信可能であることの決定に基づき、予め決められた巡回シフトデルタパラメータを適用することによって決定された巡回シフトに割り当てられた２つの又はそれより多いリソースを用いる前記送信ダイバーシティ方式を用いて受信された制御情報を処理すること、とを備える、方法。
［Ｃ２８］
前記ＷＣＤにコンテンツを送信することをさらに備えるＣ２７に記載の方法。
［Ｃ２９］
前記処理することは、前記制御情報のために少なくとも１つの直交カバー（ＯＣ）割り当てを用いることをさらに備え、前記少なくとも１つのＯＣは、前記２つの又はそれより多いリソースのうちの１つのために割り当てられた第１のＯＣと、ＯＣの利用可能性に基づいて他のリソースのために割り当てられた１つ又は複数の第２のＯＣとを含むＣ２７に記載の方法。
［Ｃ３０］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ２７に記載の方法。
［Ｃ３１］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当てる、
前記１つ又は複数のＡＣＫ又はＮＡＣＫを通信するために２超のビットを用いるＬＴＥ
ＰＵＣＣＨ割り当てる、又は
ＬＴＥ  ＰＵＣＣＨフォーマット２のうちの少なくとも１つを用いてフォーマット化され、前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられるＣ２７に記載の方法。
［Ｃ３２］
前記受信された制御情報は、物理アップリンク制御チャネル（ＰＵＣＣＨ）、又は物理アップリンク共有チャネル（ＰＵＳＣＨ）のうちの少なくとも１つを用いて受信されるＣ２７に記載の方法。
［Ｃ３３］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ２７に記載の方法。
［Ｃ３４］
コンピュータプログラム製品であって、
無線通信デバイス（ＷＣＤ）が送信ダイバーシティ方式を用いて送信することが可能であるかどうかを決定することをコンピュータに行わせるための符号と、
予め決められた巡回シフトデルタパラメータを適用することによって決定された巡回シフトに割り当てられた２つの又はそれより多いリソースを用いる前記送信ダイバーシティ方式を用いて受信された制御情報を処理することを前記コンピュータに行わせるための符号と、
を備えるコンピュータによって読み取り可能な媒体、を備える、コンピュータプログラム製品。
［Ｃ３５］
処理することを前記コンピュータに行わせるための前記符号は、前記制御情報のために少なくとも１つの直交カバー（ＯＣ）割り当てを用いて処理することを前記コンピュータに行わせるための符号をさらに備え、前記少なくとも１つのＯＣは、前記２つの又はそれより多いリソースのうちの１つのために割り当てられた第１のＯＣと、ＯＣの利用可能性に基づいて他のリソースのために割り当てられた１つ又は複数の第２のＯＣとを含むＣ３４に記載のコンピュータプログラム製品。
［Ｃ３６］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）のうちの少なくとも１つを含むＣ３４に記載のコンピュータプログラム製品。
［Ｃ３７］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ
ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含みかつ前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ３４に記載のコンピュータプログラム製品。
［Ｃ３８］
前記受信された制御情報は、物理アップリンク制御チャネル（ＰＵＣＣＨ）、又は物理アップリンク共有チャネル（ＰＵＳＣＨ）のうちの少なくとも１つを用いて受信されるＣ３４に記載のコンピュータプログラム製品。
［Ｃ３９］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式のうちの少なくとも１つを含むＣ３４に記載のコンピュータプログラム製品。
［Ｃ４０］
無線通信デバイス（ＷＣＤ）が送信ダイバーシティ方式を用いて送信することが可能であるかどうかを決定するための手段と、
予め決められた巡回シフトデルタパラメータを適用することによって決定された巡回シフトに割り当てられた２つの又はそれより多いリソースを用いる前記送信ダイバーシティ方式を用いて受信された制御情報を処理するための手段と、を備える、装置。
［Ｃ４１］
前記ＷＣＤにコンテンツを送信するための手段をさらに備えるＣ４０に記載の装置。
［Ｃ４２］
処理するための前記手段は、前記制御情報のために少なくとも１つの直交カバー（ＯＣ）割り当てを用いるための手段をさらに備え、前記少なくとも１つのＯＣは、前記２つの又はそれより多いリソースのうちの１つのために割り当てられた第１のＯＣと、ＯＣの利用可能性に基づいて他のリソースのために割り当てられた１つ又は複数の第２のＯＣとを含むＣ４０に記載の装置。
［Ｃ４３］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）
のうちの少なくとも１つを含むＣ４０に記載の装置。
［Ｃ４４］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ
ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ４０に記載の装置。
［Ｃ４５］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式
のうちの少なくとも１つを含む、Ｃ４０に記載の装置。
［Ｃ４６］
無線通信デバイス（ＷＣＤ）が送信ダイバーシティ方式を用いて送信することが可能であるかどうかを決定する、及び
前記ＷＣＤが送信ダイバーシティ方式を用いて送信することが可能であることの決定に基づき、予め決められた巡回シフトデルタパラメータを適用することによって決定された巡回シフトに割り当てられた２つの又はそれより多いリソースを用いる前記送信ダイバーシティ方式を用いて受信された制御情報を処理する
ために動作可能な送信ダイバーシティモジュールを備える、基地局。
［Ｃ４７］
前記ＷＣＤに前記コンテンツを送信するために動作可能な送信機をさらに備えるＣ４６に記載の基地局。
［Ｃ４８］
前記送信ダイバーシティモジュールは、
前記制御情報のために少なくとも１つの直交カバー（ＯＣ）割り当てを用いて処理するためにさらに動作可能であり、前記少なくとも１つのＯＣは、前記２つの又はそれより多いリソースのうちの１つのために割り当てられた第１のＯＣと、ＯＣの利用可能性に基づいて他のリソースのために割り当てられた１つ又は複数の第２のＯＣとを含むＣ４６に記載の基地局。
［Ｃ４９］
前記制御情報は、
１つ又は複数のチャネル品質インジケータ（ＣＱＩ）、
１つ又は複数のスケジューリング要求（ＳＲ）、又は
１つ又は複数の肯定応答（ＡＣＫ）又は否定応答（ＮＡＣＫ）
のうちの少なくとも１つを含むＣ４６に記載の基地局。
［Ｃ５０］
前記制御情報は、
前記１つ又は複数のＡＣＫ又はＮＡＣＫを通信するために１又は２ビットを用いるロングタームエボリューション（ＬＴＥ）物理アップリンク制御チャネル（ＰＵＣＣＨ）割り当て、
前記１つ又は複数のＡＣＫ又はＮＡＣＫを通信するために２超のビットを用いるＬＴＥ
ＰＵＣＣＨ割り当て、又は
ＬＴＥ  ＰＵＣＣＨフォーマット２
のうちの少なくとも１つを用いてフォーマット化され、
前記ＬＴＥ  ＰＵＣＣＨフォーマット２は、複数のビットの割り当てを含み及び前記ＬＴＥ  ＰＵＣＣＨフォーマット２が前記１つ又は複数のＡＣＫ又はＮＡＣＫを通信するために用いられない場合にチャネル品質情報（ＣＱＩ）を通信するために用いられる、Ｃ４６に記載の基地局。
［Ｃ５１］
前記送信ダイバーシティ方式は、
多リソース割り当て送信ダイバーシティ方式、
巡回遅延ダイバーシティ（ＣＤＤ）方式、
仮想送信機スイッチ送信ダイバーシティ（ＶＴＳＴＤ）方式、又は
空間時間ブロック符号（ＳＴＢＣ）送信ダイバーシティ方式
のうちの少なくとも１つを含む、Ｃ４６に記載の基地局。
【図１】
0005917624.tif 000002
【図２】
0005917624.tif 000003
【図３Ａ】
0005917624.tif 000004
【図３Ｂ】
0005917624.tif 000005
【図４】
0005917624.tif 000006
【図５】
0005917624.tif 000007
【図６】
0005917624.tif 000008
【図７】
0005917624.tif 000009